(57)【要約】      （修正有）【課題】着脱作業が容易であり、かつ風量などによる変形を防ぐ、ワイヤーレス加工を施したＡＧアネモフィルターと提供する。【解決手段】ＡＧアネモフィルターは、アネモダクト給排気吹き出し口に合わせたフィルター濾材本体と、フィルター濾材に施された強度と、フィルター濾材周縁に沿って取り付けた柔軟性のある密着部材を有している。機密性にも非常に優れこれにより排気された汚れた空気のリーク（漏れ）等がなくなり、粉塵を付着させた後、取り外す。【選択図】図１
2015094580.tif 000002
【特許請求の範囲】
【請求項１】
ビル空調設備等に設置されたアネモダクト給排気吹き出し口に取り付け、一般細菌・有害細菌やカビ等の増殖や粉塵の拡散等を防ぐ事を特徴とするアネモダクト給排気吹き出し口用フィルターである。
【発明の詳細な説明】
【技術分野】
【０００１】本発明はビオクリーン  ＡＧアネモフィルターに関する。
【背景技術】
【０００２】オフィスビル・病院・複合施設などの空調設備に設置されている給排気吹き出し口（アネモ）ダクトは、空気中の浮遊粉塵の拡散性が非常に高くなっているが従来給排気吹き出し口用の給排気用アネモフィルターがなくそのまま浮遊粉塵が室内に排気されていた。【０００３】また、吹き出し口（アネモ）ダクトにはダクト内にダスト粉塵が蓄積。その為、ダクト振動などでダスト粉塵を撒き散らすというダスト粉塵被害が多発しているという欠点があった。【０００４】従来は、このような粉塵を防ぐものとして、フィルターを作業現場で裁断をし、簡易的なテープやのり付けなどで貼り付けを行っていた。
例えば、ビル等のフィルター取り付けの現場作業は、各階フロアごとに数十カ所以上の給排気吹き出し口がある為、そこで吹き出し口のサイズに合わせ裁断するという作業はとても大変な作業であり、アネモダクト給排気吹き出し口の大きさに合わせ裁断するのは大変非効率であった。【０００５】また、簡易的なフィルターでは、ダスト粉塵を効果的に捕集することが難しく、給排気吹き出し口の天井やジプトンに塵埃が付着してしまいシミや汚れの原因となっていた。【０００６】それらを踏まえ、発明したのが平面的に加工された円形型のフィルターであったが、このタイプのフィルターは、平面型のためダスト粉塵などによる根詰まりなどが早くフィルターとしての使用時間が短いことが判明。
また、円形型の形状を保つ為にワイヤー状のアルミニウム製のラス網をフィルター材料として使用していた為、円形型にすることがとても難しくきれいな円形型にならないという欠点があった。その為、フィルターを取り付けた後でも排気された汚れた空気のリーク（漏れ）が有り、完全に塵埃を捕集することが出来ず、フィルター使用後は廃棄処理が難しく、焼却処理などが出来ずに埋め立て式処理しか出来ないフィルターであった為、使用後のフィルターは環境負荷になっていた。【０００７】そこでこれらの従来品の課題を解決する為に本発明を実施。
【本発明を説明】
給排気吹き出し口用（アネモ）ダクト用に合わせ、円形型形状に形成。また、各吹き出し口大きさにあわたサイズを対応。（各種サイズ・形状を用意）
従来は円形状保持のためワイヤー状のアルミ材を使用していたが、本発明はアルミ材の使用はしておらず、アルミ材を使用しなくても円形状保持が可能。初めてワイヤーレス発明の成功に至った。
また、本発明により、円形状保持が可能となっただけでなく、ダクト内のフィルター取り付けの密着性が高くなり、空気のリーク（漏れ）がなくなり機密性がより向上した。
【０００８】フィルター使用後の廃棄処理による環境負荷を低減。フィルター部材には全てポリプロレンを使用し、使用後のフィルター焼却廃棄処理関わるダイオキシン発生率は０である。
また、使用後のフィルターはリサイクルできるフィルターとして発明。
サーマルリサイクル（廃棄物を燃料として利用する利用法）や高炉などの焼却燃料を原油・石油・重油に変わる代替燃料として利用することが可能であり、フィルター部材がポリプロピレン材なので代替燃料としての燃焼カロリーは非常に高い値になっている。
そして、リデュース（減量）フィルター部材を一種類にすることにより、従来品の廃棄品の分別仕分けがなくなり、廃棄品のリデュース（減量）に繋がった。
【０００９】そしてフィルター本体は、平面型ではなく、フィルターにプリーツ（折り込み）を施した。
このフィルター濾材繊維をジャバラ状に折り込むことにより、フィルター濾材繊維ｍ３数が確保でき、またフィルター濾材繊維の折り込み・山の高さを変えるだけでより長いフィルター使用時間が可能となった。そして、空調設備機器の風量に対応したフィルターの製作が可能になり、長寿命対応型の発明が出来るようになった。
これにより、標準風量用フィルター使用時間が飛躍的に向上。（従来品の２．７５倍）従来品からの使用時間大幅ＵＰが計られた。
【００１０】また、フィルター濾材繊維には制菌加工が施されており、清潔・衛生・快適を目的としている。制菌加工は繊維状の皮膚常在菌や有害細菌を特定し、それらの細菌の増殖を抑制する抗菌とカビ等の発育を抑制する抗カビ等の制菌加工を施した濾材繊維を使用している。ビオクリーンＡＧアネモフィルターを使用することにより、空調設備アネモダクト内の一般細菌や有害細菌、カビ等の増殖を防ぐ事を目的としたものである。
【先行技術文献】
【特許文献】
【非特許文献】
【発明の概要】
【発明が解決しようとする課題】
【００１１】本発明は、以上のような従来の欠点を鑑み、アネモダクト内に蓄積した粉塵が巻き散らないようにその吹き出し口の大きさに合わせ、プリーツ加工を施し、風速によるフィルターの変形を防ぐ為に従来使用していたワイヤー状のアルミ材から本発明のワイヤーレス（アルミ材無し）を取り入れることにより風による変形にさらに強度が測られた。
そして使用後の廃棄処理による環境負荷を低減させることが可能になり、最大の目的はより捕集率の高いＡＧアネモフィルターを提供することを目的とする。
【課題を解決するための手段】
【００１２】本発明はこの様な、従来の構成が有していた問題を解決しようとするものであり、例えば、各施設・病院など人体に与える様々なウイルスや細菌が浮遊している。
それらが空調設備機器により空気だけが浄化され、ウイルスや細菌は浄化されずに空気排出されていた。
そこで各アネモダクト吹き出し口に、ビオクリーンＡＧフィルターを取り付けることにより（各施設に異なりアネモダクト吹き出し口が各フロアに数十カ所以上ある。）空調設備アネモダクト内のウイルスや一般細菌・有害細菌やカビ等の増殖を防ぐ事を目的としたものである。
【発明の効果】
【００１３】以上の説明から明らかなように、本発明にあっては次に列挙する効果が得られる。
（１）アネモダクト吹き出し口の風量によるフィルターの変形を防ぐ。ワイヤーレスで開発。【００１４】（２）ポリプロピレン素材でのフィルター開発により、ダイオキシンが発生せず、使用済み廃棄物による地球環境配慮した地球環境に優しい素材のみで加工をしている。
【図面の簡単な説明】
【００１５】
【図１】「〜を示した平面図である。」のように記載します。
【図２】「〜を示した断面図である。」のように記載します。
【発明を実施するための形態】
【００１６】以下、本発明の実施の形態を図に基づいて説明する。
【実施例】別紙、アネモＡＧフィルター実施例要項のように記載します。
【産業上の利用可能性】
【００１７】本発明は、ビオクリーン  ＡＧフィルターを製造する産業で利用される。
【図１】
2015094580.tif 000003
【図２】
2015094580.tif 000004
【手続補正書】
【提出日】平成26年1月15日(2014.1.15)
【手続補正２】
【補正対象書類名】明細書
【補正対象項目名】００１５
【補正方法】変更
【補正の内容】
【００１５】
【図１】  「ビオクリーンＡＧアネモフィルターを示した正面図である。」
【図２】  「ビオクリーンＡＧアネモフィルターを示した上部断面図である。」